(57)【要約】【課題】ある場所で発生した音源を他の場所で聞くことができる利便性のよい音送信システムを提供する。【解決手段】実施形態に係る音送信システムは、建物内の複数の場所に配置され、それぞれの音源に応じた音信号を送信する送信部と、前記建物内の複数の場所に配置され、別の場所から送信された前記音信号を受信し、受信した音信号を出力する音出力部と、  前記送信部から送信された前記音信号を受信し、受信した前記音信号を前記送信部に予め対応付けられた前記音出力部に送信する中継装置と、を有する。【選択図】図２
2016005207.tif 000002
【特許請求の範囲】
【請求項１】
建物内の複数の場所に配置され、それぞれの音源に応じた音信号を送信する送信部と；
前記建物内の複数の場所に配置され、別の場所から送信された前記音信号を受信し、受信した音信号を出力する音出力部と；
前記送信部から送信された前記音信号を受信し、受信した前記音信号を前記送信部に予め対応付けられた前記音出力部に送信する中継装置と；
を有することを特徴とする音送信システム。
【請求項２】
前記音出力部が、照明装置に配設されていることを特徴とする請求項１に記載の音送信システム。
【請求項３】
前記中継装置は、受信した前記音信号を予め設定された時間帯のみ、前記対応付けられた前記音出力部に送信することを特徴とする請求項１または２に記載の音送信システム。
【請求項４】
前記中継装置は、前記複数の部屋の送信部から複数の音信号が送信された場合、予め設定された優先順位に基づいて、前記複数の音信号から前記音出力部に送信する音信号を選択することを特徴とする請求項１から３のいずれか１つに記載の音送信システム。
【請求項５】
前記音源が、動作状態に応じて前記音信号を出力する機器の一部であることを特徴とする請求項１から４のいずれか１つに記載の音送信システム。
【請求項６】
建物内の複数の場所に配置され、それぞれの音源に応じた音信号を送信する送信部と；
前記建物内の複数の場所に配置され、別の場所から送信された前記音信号を受信し、受信した音信号を出力する音出力部と；
前記送信部から送信された前記音信号を受信し、受信した前記音信号を前記送信部に予め対応付けられた前記音出力部に送信する中継装置と；
を有することを特徴とする照明システム。
【発明の詳細な説明】
【技術分野】
【０００１】
本発明の実施形態は、音送信システム及び照明システムに関する。
【背景技術】
【０００２】
住宅内には数多くの家電製品が配設されている。複数の家電製品を互いに接続することで、より利便性を向上することが検討されている。
【０００３】
従来では、住宅内のカウンターキッチンで作業をする際、前方のリビングルームに配置されたテレビ画面は見えるが、水音や調理音が妨げとなりテレビ番組の音が聞こえないという問題があった。
【０００４】
複数の家電製品を互いに接続する装置として、例えば、照明装置とオーディオ装置を一体化させ、照明の動作に同期して、オーディオが動作する照明装置が存在するが、この照明装置では、他の部屋で発生したテレビ番組の音をオーディオから出力することはできなかった。
【先行技術文献】
【特許文献】
【０００５】
【特許文献１】特開２００８−２０４６４０号公報
【発明の概要】
【発明が解決しようとする課題】
【０００６】
本実施形態は、ある場所で発生した音源を他の場所で聞くことができる利便性のよい音送信システム及び照明システムを提供することを目的とする。
【課題を解決するための手段】
【０００７】
実施形態に係る音送信システムは、建物内の複数の場所に配置され、それぞれの音源に応じた音信号を送信する送信部と、前記建物内の複数の場所に配置され、別の場所から送信された前記音信号を受信し、受信した音信号を出力する音出力部と、  前記送信部から送信された前記音信号を受信し、受信した前記音信号を前記送信部に予め対応付けられた前記音出力部に送信する中継装置と、を有する。
【発明の効果】
【０００８】
実施形態によれば、ある場所で発生した音源を他の場所で聞くことができる利便性のよい音送信システム及び照明システムを提供することができる。
【図面の簡単な説明】
【０００９】
【図１】第１の実施形態に係る音送信システムを説明するための模式図である。
【図２】第１の実施形態の係る音送信システムの構成図である。
【図３】電子機器の設置場所を設定するための画面の例を説明するための図である。
【図４】電子機器の設置場所を登録するための画面の例を説明するための図である。
【図５】電子機器にスピーカーを対応付けた対応付画面の例を説明するための図である。
【図６】第２の実施形態に係る音送信システム（照明システム）の構成図である。
【図７】電子機器にスピーカーおよび音を出力する時間帯を対応付けた対応付画面の例を説明するための図である。
【図８】音源の優先順位を設定するための優先順位設定画面の例を説明するための図である。
【発明を実施するための形態】
【００１０】
実施形態に係る音送信システムは、建物内に複数配置され、それぞれの音源に応じた音信号を送信する送信部と；前記複数に配置され、別の場所から送信された前記音信号を受信し、受信した音信号を出力する音出力部と；前記送信部から送信された前記音信号を受信し、受信した前記音信号を前記送信部に予め対応付けられた前記音出力部に送信する中継装置と；を有する。
【００１１】
また、実施形態に係る音送信システムは、前記音出力部が、照明装置に配設されている。
【００１２】
また、実施形態に係る音送信システムは、前記中継装置は、受信した前記音信号を予め設定された時間帯のみ、前記対応付けられた前記音出力部に送信する。
【００１３】
また、実施形態に係る音送信システムは、前記中継装置は、前記複数の部屋の送信部から複数の音信号が送信された場合、予め設定された優先順位に基づいて、前記複数の音信号から前記音出力部に送信する音信号を選択する。
【００１４】
また、実施形態に係る音送信システムは、前記音源が、動作状態に応じて前記音信号を出力する機器の一部である。
【００１５】
また、実施形態に係る照明システムは、建物内の複数の場所に配置され、それぞれの音源に応じた音信号を送信する送信部と；前記複数に配置され、別の場所から送信された前記音信号を受信し、受信した音信号を出力する音出力部と；前記送信部から送信された前記音信号を受信し、受信した前記音信号を前記送信部に予め対応付けられた前記音出力部に送信する中継装置と；を有する。
【００１６】
以下、図面を参照して本発明の実施形態について詳細に説明する。
（第１の実施形態）
まず、図１および図２に基づき、第１の実施形態に係る音送信システムの構成について説明する。図１は、第１の実施形態に係る音送信システムを説明するための模式図であり、図２は、第１の実施形態の係る音送信システムの構成図である。
【００１７】
図１に示すように、本実施形態の音送信システム１は、複数の部屋１０（１０Ａ〜１０Ｄ）を有する建物内に配設される。なお、各実施形態に基づく図面は、模式的なものである。また、複数の同じ機能の構成要素のそれぞれを示すときは符号の末尾のアルファベット１文字を削除する。例えば、部屋１０Ａ〜１０Ｄのそれぞれを部屋１０という。
【００１８】
以下の説明では、部屋１０Ａをリビングルーム、部屋１０Ｂをキッチン、部屋１０Ｃを寝室、部屋１０Ｄを子供部屋として、各実施形態を説明する。なお、部屋１０とは、リビングルーム、キッチン、寝室、および子供部屋等の一般的な意味の部屋に限られるものではなく、部屋１０には、廊下、玄関、風呂場、納戸、またはトイレ等も含まれる。また、広い部屋を複数の部屋とみなしてもよい。部屋の数は２以上であるが、本実施形態では、図１に示すように４部屋である。
【００１９】
音送信システム１では、部屋１０Ａに、音源であるテレビジョン受信機（テレビ）２０Ａと、音送信部３０Ａと、音出力部４０Ａとが配置され、部屋１０Ｂに、音源である電子レンジ２０Ｂと、音送信部３０Ｂと、音出力部４０Ｂとが配置されている。同様に、音送信システム１では、部屋１０Ｃに、音源であるオーディオ２０Ｃと、音送信部３０Ｃと、音出力部４０Ｃとが配置されている。また、音送信システム１では、部屋１０Ｄに、音送信部３０Ｄと、音出力部４０Ｄとが配置されている。この部屋１０Ｄでは、音源が例えば幼児９Ａの泣き声等になる。
【００２０】
音送信システム１の電子機器（テレビ２０Ａ、電子レンジ２０Ｂ、オーディオ２０Ｃ）と音送信部３０（３０Ａ〜３０Ｄ）と音出力部４０（４０Ａ〜４０Ｄ）とは、例えばゲートウェイ等の中継装置１１を介して無線で接続されており、互いに通信が可能となっている。なお、音送信システム１の電子機器（テレビ２０Ａ、電子レンジ２０Ｂ、オーディオ２０Ｃ）と音送信部３０（３０Ａ〜３０Ｄ）と音出力部４０（４０Ａ〜４０Ｄ）とは、中継装置１１を介して有線で接続されていてもよい。図１の例では、中継装置１１は部屋１０Ａに配置されているが、中継装置１１の配置場所は、部屋１０Ａに限定されることなく、他の部屋１０Ｂ〜１０Ｄに配置されていてもよい。
【００２１】
テレビ２０Ａは、映像信号および音信号Ｓを出力する。映像信号および音信号Ｓは、テレビ２０Ａのモニタ２１Ａおよびスピーカー２２Ａから出力される。テレビ２０が出力する音信号Ｓは、音送信部３０Ａにも有線または無線で送信される。音送信部３０Ａは、テレビ２０Ａが出力した音信号Ｓを中継装置１１に送信する。送信部３０Ａの送信手段は、有線でも良いが、施工が簡便であるため無線、特に近距離無線であることが好ましい。なお、テレビ２０Ａと送信部３０Ａとは一体であってもよい。例えば、テレビ２０Ａが、音信号Ｓを送信する送信部３０Ａの機能を有していてもよい。
【００２２】
中継装置１１では、部屋１０Ａのテレビ２０Ａからの音信号Ｓを他の部屋１０（１０Ｂ、１０Ｃ、１０Ｄ）のどの音出力部４０（４０Ｂ、４０Ｃ、４０Ｄ）から出力するかが設定されている。例えば、ユーザー９がテレビ２０Ａの音を料理をしながらキッチン（部屋１０Ｂ）で聞きたい場合、中継装置１１で部屋１０Ａのテレビ２０Ａ（あるいは送信部３０Ａ）と、部屋１０Ｂの音出力部４０Ｂ（より具体的には、後述する音出力部４０Ｂのスピーカー４２Ｂ）とを対応付ける。これにより、ユーザー９は、キッチン（部屋１０Ｂ）で料理をしながらＴＶ番組の音を聞くことができる。
【００２３】
なお、電子機器と対応付ける音出力部４０は、１つに限定されることはない。例えば、部屋１０Ｂの電子レンジ２０Ｂを音出力部４０Ａおよび４０Ｃに対応付けると、電子レンジ２０Ｂの調理完了等を示す報知音の音信号Ｓが中継装置１１を介して音出力部４０Ａおよび４０Ｃに送信される。これにより、ユーザー９は、電子レンジ２０Ｂからの報知音をリビングルーム（部屋１０Ａ）または寝室（部屋１０Ｃ）で聞くことができる。
【００２４】
なお、報知音を発生する機器は電子レンジ２０Ｂに限定されることなく、例えば、洗濯完了を示す報知音を発生する洗濯機、湯張り完了を示す報知音を発生する風呂システム等であってもよい。
【００２５】
同様に、部屋１０Ｃのオーディオ２０Ｃを音出力部４０Ａおよび４０Ｂに対応付けることにより、オーディオ２０Ｃからの音信号Ｓが中継装置１１を介して音出力部４０Ａおよび４０Ｂに送信される。これにより、ユーザー９は、オーディオ２０Ｃからの音をリビングルーム（部屋１０Ａ）またはキッチン（部屋１０Ｂ）で聞くことができる。
【００２６】
また、子供部屋（部屋１０Ｄ）からの幼児９Ａの泣き声等の音信号Ｓは、ユーザー９はどの部屋１０（部屋１０Ａ、１０Ｂ、１０Ｃ）にいても直ぐに認識したい。そのため、音送信部３０Ｄを音出力部４０Ａ、４０Ｂおよび４０Ｃに対応付けることにより、ユーザー９は、どの部屋１０（部屋１０Ａ、１０Ｂ、１０Ｃ）にいても、幼児９Ａの泣き声等を直ぐに聞くことができる。
【００２７】
電子機器と音出力部４０の対応付けは、ユーザー９が、例えばスマートフォン等の操作端末１２用いて行う。なお、この対応付けについては、後述する。
【００２８】
図２に示すように、部屋１０Ａ〜１０Ｄの音送信部３０Ａ〜３０Ｄは、それぞれが、マイクロフォン（マイク）３１Ａ〜３１Ｄと、送信部３２Ａ〜３２Ｄとを含む。また、部屋１０Ａ〜１０Ｄの音出力部４０Ａ〜４０Ｄは、それぞれが、受信部４１Ａ〜４１Ｄと、スピーカー４２Ａ〜４２Ｄとを含む。
【００２９】
例えば、リビングルーム（部屋１０Ａ）の音源であるテレビ２０Ａからの音は、マイク３１Ａにより音信号Ｓに変換され、送信部３２Ａから中継装置１１に無線で送信される。中継装置１１では、部屋１０Ａからの音信号Ｓをどの部屋１０（１０Ｂ、１０Ｃ、１０Ｄ）のスピーカー４２（４２Ｂ、４２Ｃ、４２Ｄ）に出力するかが対応付けられている。例えば、キッチン（部屋１０Ｂ）のスピーカー４２Ｂに出力することが対応付けられている場合、中継装置１１は、その音信号Ｓを部屋１０Ｂの音出力部４０Ｂに無線で送信する。
【００３０】
音出力部４０Ｂの受信部４１Ｂは、中継装置１１から無線で送信されてくる音信号Ｓを受信する。そして、スピーカー４２Ｂは、受信部４１Ｂで受信した音信号Ｓを出力する。これにより、ユーザー９は、キッチン（部屋１０Ｂ）で例えば料理をしながら、ＴＶ番組の音を聞くことができる。
【００３１】
ここで、部屋１０に設置される電子機器を設定および登録する手順と、電子機器にスピーカーを対応付ける手順について説明する。図３は、電子機器の設置場所を設定するための画面の例を説明するための図であり、図４は、電子機器の設置場所を登録するための画面の例を説明するための図であり、図５は、電子機器にスピーカーを対応付けた対応付画面の例を説明するための図である。
【００３２】
ユーザー９が操作端末１２を操作して中継装置１１と通信することにより、電子機器の設置場所を設定するための設定画面５０が操作端末１２の表示画面に表示される。設定画面５０では、電子機器の製品名と、対応する機器アドレスと、設置場所と、設置場所を変更するための変更ボタン５１（５１Ａ、５１Ｂ）と、設置場所を登録するための登録ボタン５２（５２Ａ、５２Ｂ）とが表示される。
【００３３】
図３の例では、テレビ２０Ａは、すでに設置場所としてリビング（部屋１０Ａ：リビングルーム）が登録されているが、テレビ２０Ａの設置する部屋１０を変更した場合、ユーザー９が変更ボタン５１Ａを押すことで、図４の登録画面６０に移行することができる。また、図３の例では、オーディオ２０Ｃは、設置場所が未登録となっており、ユーザー９が登録ボタン５２Ａを押すことで、図４の登録画面６０に移行することができる。
【００３４】
ユーザー９は、オーディオ２０Ｃを寝室（部屋１０Ｃ）に設置した場合、図４の登録画面６０の寝室（部屋１０Ｃ）に対応する選択ボタン６１を押すことで、オーディオ２０Ｃの設置場所を寝室（部屋１０Ｃ）に登録することができる。
【００３５】
ユーザー９は、各電子機器の設置場所を登録すると、図５に示すように、対応付画面６２で各電子機器に対応付けるスピーカー４２を設定する。中継装置１１は、このような対応付多面６２を例えばメモリ等に保持する。なお、対応付けるスピーカー４２の設定については、設定画面５０で行えるようにしてもよい。すなわち、設定画面５０に対応付けるスピーカーの項目欄を設け、対応付けるスピーカー４２の設定することで、電子機器の設置場所の登録と、電子機器で発生した音を出力するスピーカー４２の設定とを同時に行うことができる。
【００３６】
図５に示すように、対応付画面６２を用いて、テレビ２０Ａとスピーカー４２Ｂとを対応付けることで、ユーザー９は、テレビ２０Ａの音をキッチン（部屋１０Ｂ）に居ながら聞くことができる。また、母親等のユーザー９は、子供部屋（部屋１０Ｄ）からの幼児９Ａの泣き声等をどの部屋１０にいても直ぐに認識したい。そのため、子供部屋（部屋１０Ｄ）の音送信部３０Ｄは、スピーカー４２Ａ、４２Ｂ、４２Ｃと対応付けることで、ユーザー９は、幼児９Ａの泣き声等をどの部屋１０Ａ、１０Ｂ、１０Ｃにいても直ぐに認識することができる。
【００３７】
このように、音送信システム１は、ある場所で発生した音源を他の場所で聞くことができるので、利便性が良くなる。
（第２の実施形態）
次に、第２の実施形態について説明する。図６は、第２の実施形態に係る音送信システム（照明システム）の構成図である。なお、以下の実施形態および変形例の音送信システムは、第１の実施形態の音送信システム１と類似しているので、同じ機能の構成要素には同じ符号を付して説明は省略する。
【００３８】
図６に示すように、音送信システム１Ａでは、それぞれの部屋１０（１０Ａ〜１０Ｄ）に照明装置７０（７０Ａ〜７０Ｄ）が配設されている。そして、音送信部３０および音出力部４０は、照明装置７０に配設されている。音送信部３０および音出力部４０が照明装置７０に配設されている音送信システム１Ａのことを照明システム２Ａという。
【００３９】
音送信システム１Ａ（照明システム２Ａ）は、音送信システム１の効果を有する。そして、音送信部３０および音出力部４０は、照明装置７０に接続されている宅内電力配線から駆動電力を得ることができる。このため、音送信システム１Ａ（照明システム２Ａ）は、配設が容易である。また、例えば天井または壁に配設されている照明装置７０の内部に音送信部３０および音出力部４０を配設することで、音送信システム１Ａ（照明システム２Ａ）は、配設がさらに容易で、かつ、音送信部３０および音出力部４０の配置により部屋１０の雰囲気が損なわれることがない。
【００４０】
なお、音送信部３０および音出力部４０は、照明装置７０のオプションとして後付可能であることが特に好ましい。すわなち、照明装置７０は例えば、音送信部３０および音出力部４０を取り付けると電気的接続も完了する音送信部接続部および音出力部接続部を具備することが好ましい。これにより、照明装置７０を設置後に、必要に応じて非常に容易に、かつ低コストで音送信部３０及び音出力部４０を配設することができる。
【００４１】
例えば、子供部屋（部屋１０Ｄ）では、テレビ２０Ａの音、電子レンジ２０Ｂの報知音、およびオーディオ２０Ｃの音を聞く必要がないため、子供部屋（部屋１０Ｄ）の照明装置７０Ｄには、音出力部４０Ｄを配設せずに、音送信部３０Ｄのみを配設するようにしてもよい。
【００４２】
なお、音出力部４０は、人感センサを設け、人がいるかいないかを判定して、人がいると判定した場合のみ音信号Ｓを出力するようにしてもよい。また、人がいるかいないかの判定は、例えば、照明装置７０のスイッチのＯＮ／ＯＦＦにより判定するようにしてもよい。音出力部４０は、照明装置７０がＯＮの場合、人がいると判定して音信号Ｓを出力し、照明装置７０がＯＦＦの場合、人がいないと判定して音信号Ｓを出力しないようにする。
（第３の実施形態）
次に、第３の実施形態について説明する。第３の実施形態では、中継装置１１で音を出力する時間帯を設定する例について説明する。
【００４３】
図７は、電子機器にスピーカーおよび音を出力する時間帯を対応付けた対応付画面の例を説明するための図である。
【００４４】
ユーザー９は、図７に示すように、対応付画面６２Ａを用いて、各電子機器に対応付けるスピーカー４２および音を出力する時間帯を設定する。中継装置１１は、このような対応付多面６２Ａを例えばメモリ等に保持する。なお、対応付けるスピーカー４２および音を出力する時間帯の設定については、第１の実施形態と同様に、図３の設定画面５０で行えるようにしてもよい。
【００４５】
例えば、ユーザー９は、食事を作る時間帯にキッチン（部屋１０Ｂ）でテレビ２０Ａの音を聞きたい場合、対応付画面６２Ａの音を出力する時間帯を、食事を作る時間帯（例えば、６時〜７時、１１時〜１２時および１７時〜１８時）に設定する。また、子供部屋（部屋１０Ｄ）での幼児９Ａの泣き声等は、いつでも聞き逃さないように、一日中（０時〜２４時）に設定する。
【００４６】
中継装置１１は、テレビ２０Ａからの音信号Ｓが音送信部３０Ａを介して送信されると、対応付画面６２Ａを参照し、音を出力する時間帯の場合、音出力部４０Ｂに音信号Ｓを送信し、スピーカー４２Ｂがテレビ２０Ａの音を出力する。一方、中継装置１１は、音を出力する時間帯でない場合、音出力部４０Ｂに音信号Ｓを送信しない。
【００４７】
これにより、ユーザー９は、食事を作る時間帯だけキッチン（部屋１０Ｂ）でテレビ２０Ａの音を聞くことができる。また、ユーザー９がキッチン（部屋１０Ｂ）にいないことが多い時間帯では、テレビ２０Ａの音がキッチン（部屋１０Ｂ）から流れることがないため、消費電力を削減することができる。
【００４８】
なお、対応付画面６２Ａにおいて、音を出力する時間帯を、曜日毎に設定できるようにしてもよい。これにより、例えば、平日または休日によって、テレビ２０Ａの音をキッチン（部屋１０Ｂ）で出力する時間帯を変更でき、ユーザー９のライフスタイルに合った音出力を行うことができる。
（第４の実施形態）
次に、第４の実施形態について説明する。第４の実施形態では、中継装置１１に複数の音源が同時に入力された場合の音出力について説明する。
【００４９】
図８は、音源の優先順位を設定するための優先順位設定画面の例を説明するための図である。ユーザー９が操作端末１２を操作して中継装置１１と通信することにより、図８に示す音源の優先順位を設定するための優先順位設定画面８０が操作端末１２の表示画面に表示される。ユーザー９は、操作端末１２の操作部等を操作し、優先順位設定画面８０で各音源の優先順位を設定する。中継装置１１は、このような優先順位設定画面８０を例えばメモリ等に保持する。
【００５０】
図８の例では、幼児９Ａの泣き声の優先順位が最優先を示す１に設定され、電子レンジ２０Ｂの報知音の優先順位が２に設定され、テレビ２０Ａの音の優先順位が３に設定され、オーディオ２０Ｃの音の優先順位が４に設定されている。
【００５１】
例えば、中継装置１１は、部屋１０Ａからのテレビ２０Ａの音源と、部屋１０Ｄからの幼児９Ａの泣き声の音源とが同時に送信され入力された場合、優先順位設定画面８０の設定に基づいて、幼児９Ａの泣き声の音源をスピーカー４２Ａ、４２Ｂおよび４２Ｃに送信する。これにより、ユーザー９がキッチン（部屋１０Ｂ）にいた場合でも、テレビ２０Ａの音源と幼児９Ａの泣き声の音源とが混成することなく、より重要な幼児９Ａの泣き声を聞き漏らすことがない。
【００５２】
なお、中継装置１１は、複数の音源が入力された場合、全ての音源を出力してもよいし、音源によって１つの音源を出力するか複数の音源を出力するかを変更してもよい。例えば、中継装置１１は、複数の音源が入力された際に幼児９Ａの泣き声等の音源が存在した場合、幼児９Ａの泣き声等を単独で出力し、複数の音源が入力された際に幼児９Ａの泣き声等の音源が存在しない場合、複数の音源を同時に出力するようにする。
【００５３】
本発明のいくつかの実施の形態を説明したが、これらの実施の形態は、例として提示したものであり、発明の範囲を限定することは意図していない。これら新規な実施の形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。
【符号の説明】
【００５４】
１，１ａ…音送信システム、２ａ…照明システム、９…ユーザー、１０，１０Ａ〜１０Ｄ…部屋、１１…中継装置、１２…操作端末、２０Ａ…テレビジョン受信機、２０Ｂ…電子レンジ、２０Ｃ…オーディオ、３０，３０Ａ〜３０Ｄ…音送信部、３１，３１Ａ〜３１Ｄ…マイク、３２，３２Ａ〜３２Ｄ…送信部、４０，４０Ａ〜４０Ｄ…音出力部、４１，４１Ａ〜４１Ｄ…受信部、４２，４２Ａ〜４２Ｄ…スピーカー。
【図１】
2016005207.tif 000003
【図２】
2016005207.tif 000004
【図３】
2016005207.tif 000005
【図４】
2016005207.tif 000006
【図５】
2016005207.tif 000007
【図６】
2016005207.tif 000008
【図７】
2016005207.tif 000009
【図８】
2016005207.tif 000010